(57)【要約】【課題】生体情報測定装置における情報の送受信に要する消費電力を削減できる生体情報測定装置、生体情報測定方法を提供することを目的としている。【解決手段】生体情報を計測する計測装置と、計測装置が送信する生体情報を示す第１情報を受信する第１周波数と、受信した第１情報に基づき生成した第２情報を送信する周波数であって第１周波数より高い周波数である第２周波数とを切り替える表示装置と、を備える。【選択図】図１
2013106801.tif 000002
【特許請求の範囲】
【請求項１】
生体情報を計測する計測装置と、
前記計測装置が送信する前記生体情報を示す第１情報を受信する第１周波数と、受信した前記第１情報に基づき生成した第２情報を送信する周波数であって前記第１周波数より高い周波数である第２周波数とを切り替える表示装置と、
を備えることを特徴とする生体情報測定装置。
【請求項２】
前記第１周波数は、
法定無線通信周波数より低い周波数であり、
前記第２周波数は、
小電力無線通信で用いられている周波数である
ことを特徴とする請求項１に記載の生体情報測定装置。
【請求項３】
前記第１情報は、
前記生体情報を示す信号に同期して、前記第１周波数で変換された情報である
ことを特徴とする請求項１または請求項２に記載の生体情報測定装置。
【請求項４】
前記第１情報は、
心拍数を示す情報、表面筋電図検査による筋活動を示す情報の少なくとも１つを含む情報であり、
前記第２情報は、
前記第１情報に基づき生成された心拍数または筋の活動を示す情報である
ことを特徴とする請求項１から請求項３のいずれか１項に記載の生体情報測定装置。
【請求項５】
前記表示装置は、
計測スイッチ、
を備え、
前記計測スイッチが押された際に、前記第１情報の受信を開始し、前記第１情報を受信開始後に前記計測スイッチが押された際に前記第１情報の受信を停止する
ことを特徴とする請求項１から請求項４のいずれか１項に記載の生体情報測定装置。
【請求項６】
生体情報測定装置における生体情報測定方法であって、
計測装置が、生体情報を計測する計時手順と、
表示装置が、前記計測装置が送信する前記生体情報を示す第１情報を受信する第１周波数と、受信した前記第１情報に基づき生成した第２情報を送信する周波数であって前記第１周波数より高い周波数である第２周波数とを切り替える表示手順と、
を含むことを特徴とする生体情報測定方法。
【発明の詳細な説明】
【技術分野】
【０００１】
本発明は、生体情報測定装置、生体情報測定方法に関する。
【背景技術】
【０００２】
生体情報測定装置は、例えば生体情報を計測する計測部と、計測部で計測された計測結果を表示する表示部と、計測結果を集計及び管理するデータ管理部から構成されている。このような生体情報測定装置では、計測部で測定した情報が、表示部へ送信され、さらに表示部が受信した情報がデータ管理部へ送信される。計測部から表示部への情報の送信及び表示部からデータ管理部への情報の送信は、２．４［ＧＨｚ］帯の電波を用いた通信を利用して行っていた（例えば、特許文献１参照）。
【先行技術文献】
【特許文献】
【０００３】
【特許文献１】特開２０１０−２６４２４７号公報
【発明の概要】
【発明が解決しようとする課題】
【０００４】
しかしながら、特許文献１に記載の技術において、表示部は、情報の送受信を２．４［ＧＨｚ］を利用して行っていたため、通信に要する消費電力が大きいという問題があった。
【０００５】
本発明は、上記の問題点に鑑みてなされたものであって、生体情報測定装置における情報の送受信に要する消費電力を削減できる生体情報測定装置、生体情報測定方法を提供することを目的としている。
【課題を解決するための手段】
【０００６】
上記目的を達成するため、本発明の一態様に係る生体情報測定装置は、生体情報を計測する計測装置と、前記計測装置が送信する前記生体情報を示す第１情報を受信する第１周波数と、受信した前記第１情報に基づき生成した第２情報を送信する周波数であって前記第１周波数より高い周波数である第２周波数とを切り替える表示装置と、を備えることを特徴としている。
【０００７】
また、上記生体情報測定装置において、前記第１周波数は、法定無線通信周波数より低い周波数であり、前記第２周波数は、小電力無線通信で用いられている周波数であるようにしてもよい。
【０００８】
また、上記生体情報測定装置において、前記第１情報は、前記生体情報を示す信号に同期して、前記第１周波数で変換された情報であるようにしてもよい。
【０００９】
また、上記生体情報測定装置において、前記第１情報は、心拍数を示す情報、表面筋電図検査による筋活動を示す情報の少なくとも１つを含む情報であり、前記第２情報は、前記第１情報に基づき生成された心拍数または筋の活動を示す情報であるようにしてもよい。
【００１０】
また、上記生体情報測定装置において、前記表示装置は、計測スイッチ、を備え、前記計測スイッチが押された際に、前記第１情報の受信を開始し、前記第１情報を受信開始後に前記計測スイッチが押された際に前記第１情報の受信を停止するようにしてもよい。
【００１１】
上記目的を達成するため、本発明の一態様は、生体情報測定装置における生体情報測定方法であって、計測装置が、生体情報を計測する計時手順と、表示装置が、前記計測装置が送信する前記生体情報を示す第１情報を受信する第１周波数と、受信した前記第１情報に基づき生成した第２情報を送信する周波数であって前記第１周波数より高い周波数である第２周波数とを切り替える表示手順と、を含むことを特徴としている。
【発明の効果】
【００１２】
本発明においては、計測装置が測定した生体情報を示す第１情報を受信する周波数を、受信した第１情報に基づく第２情報を送信する周波数より低い周波を用いるようにしたので、生体情報測定装置における情報の送受信に要する消費電力を削減できる生体情報測定装置、生体情報測定方法を提供することができる。
【図面の簡単な説明】
【００１３】
【図１】本実施形態に係る生体情報測定装置の概略構成を説明する図である。
【図２】本実施形態に係る計測装置のブロック図である。
【図３】本実施形態に係る表示装置のブロック図である。
【図４】本実施形態に係るデータ管理装置のブロック図である。
【図５】本実施形態に係る生体情報測定装置の処理の一例のシーケンス図である。
【図６】本実施形態に係る本実施形態に係る計測装置の各部の波形を示す図である。
【図７】図６の時刻ｔ１から時刻ｔ３０の期間を拡大した図である。
【図８】本実施形態に係る表示装置の各部の波形を示す図である。
【発明を実施するための形態】
【００１４】
以下、図面用いて本発明について詳細に説明する。なお、本発明は係る実施形態に限定されず、その技術思想の範囲内で種々の変更が可能である。
【００１５】
［第１実施形態］
図１は、本実施形態に係る生体情報測定装置１の概略構成を説明する図である。
図１に示すように、生体情報測定装置１は、計測装置１０、表示装置２０、及びデータ管理装置３０を備えている。計測装置１０は、ストラップ１１、電極１２、及び制御部１３を備えている。表示装置２０は、ベルト２１、及び表示制御部２２を備えている。
【００１６】
計測装置１０のストラップ１１は、被験者の胸部に計測装置１０を留め付ける。ストラップ１１には、２つの電極１２が制御部１３を挟んで取り付けられている。
計測装置１０は、生体情報を計測する。なお、生体情報とは、心拍数を示す情報（以下、心拍数情報という）、心筋活動を示す情報等である。また、生体情報は、筋活動から求めた情報であってもよい。
表示装置２０のベルト２１は、被験者の手首に表示装置２０を留め付ける。ベルト２１には、表示制御部２２が取り付けられている。
表示装置２０は、計測装置１０が送信する生体情報を示す第１情報を受信する第１周波数と、受信した第１情報に基づき生成した第２情報を送信する周波数であって第１周波数より低い周波数である第２周波数とを切り替える。
【００１７】
次に、計測装置１０の構成について、図２を用いて説明する。
図２は、本実施形態に係る計測装置のブロック図である。図２に示すように、計測装置１０の制御部１３には、２つの電極１２（１２−１、及び１２−２）が接続されている。制御部１３は、心拍信号検出回路１０１、送信回路制御部１０２、アンテナ駆動回路１０３、アンテナ１０４、及び電源部１０５を備えている。
【００１８】
計測装置１０の電極１２（１２−１、及び１２−２）は、心筋活動による電位を検出し、検出した電位を制御部１３の心拍信号検出回路１０１に出力する。２つの電極１２が検出した電位は、心拍信号検出回路１０１により心筋活動を示す信号の生成に使用される。そして、心筋活動を示す信号は、心筋活動を示す信号の周期を算出することで心拍数を表示装置２０が算出するために用いられる。
【００１９】
心拍信号検出回路１０１は、電極１２−１と電極１２−２が出力した電位差に基づいて心拍のタイミングを示す信号ａを生成し、生成した信号ａを送信回路制御部１０２に出力する。
【００２０】
送信回路制御部１０２は、心拍信号検出回路１０１が出力した信号ａに基づく信号ｂを生成し、生成した信号ｂをアンテナ駆動回路１０３に出力する。
【００２１】
アンテナ駆動回路１０３は、送信回路制御部１０２が出力した信号ｂを、バースト状の信号に変換し、変換した信号ｃを、アンテナ１０４を介して送信する。具体的には、アンテナ駆動回路１０３は、信号ｃを例えば５［ｋＨｚ］（第１周波数）で、アンテナ１０４を介して送信する。
電源部１０５は、心拍信号検出回路１０１、送信回路制御部１０２、及びアンテナ駆動回路１０３に電力を供給する。
すなわち、計測装置１０は、生体情報（第１情報）を、第１周波数で送信する。
【００２２】
次に、表示装置２０の構成について、図３を用いて説明する。
図３は、本実施形態に係る表示装置２０のブロック図である。図３に示すように、表示装置２０の表示制御部２２は、アンテナ２０１、受信回路２０２、演算部２０３、入力部２０４、表示部２０５、データ記憶部２０６、近距離通信制御部２０７、アンテナ２０８、及び電源部２０９を備えている。
【００２３】
受信回路２０２は、アンテナ２０１を介して計測装置１０が送信した信号ｄを受信する。受信回路２０２は、受信した信号ｄを波形整形し、波形整形した信号ｅを演算部２０３に出力する。
【００２４】
演算部２０３は、受信回路２０２が出力した信号ｅに基づいて、１分間毎の心拍数を算出し、算出した心拍数情報を表示部２０５に表示する。また、演算部２０３は、算出した心拍数情報と、心拍数を算出した日時を示す情報とを関連付けてデータ記憶部２０６に記憶する。演算部２０３は、近距離通信制御部２０７がデータ管理装置３０との通信が確立あれたことを検出した後、データ記憶部２０６に記憶されている第２情報を読み出し、読み出した第２情報を近距離通信制御部２０７に出力する。
【００２５】
入力部２０４は、図示しない計測スイッチ等を備えている。表示部２０５がタッチパネルの場合、表示部２０５が入力部２０４を兼ね備えるようにしてもよい。
表示部２０５は、例えば液晶パネルまたは有機ＥＬ（エレクトロルミネセンス）パネル等である。
データ記憶部２０６には、心拍数情報と、心拍数を算出した日時を示す情報が関連付けられて記憶されている。
【００２６】
近距離通信制御部２０７は、アンテナを介して表示装置２０がデータ管理装置３０のデータ送受信部３０１の上に置かれたことを検出する。表示装置２０がデータ送受信部３０１の上に置かれたこと検出した場合、近距離通信制御部２０７は、演算部２０３に検出結果を出力する。
近距離通信制御部２０７は、演算部２０３が出力した第２情報を、予め定められている通信規格のフォーマットに変換し、変換した情報を、アンテナ２０８を介して送信する。送信される情報は、例えば、心拍数及び心拍数を算出した日時を示すテキストデータである。
なお、近距離通信制御部２０７は、ＮＦＣ（Ｎｅａｒ  Ｆｉｅｌｄ  Ｃｏｍｍｕｎｉｃａｔｉｏｎ）の小電力無線通信規格を用いてデータ管理装置３０との通信を行う。近距離通信制御部２０７は、例えば１３．５６［ＭＨｚ］の搬送周波数（第２周波数）を用いる。
【００２７】
電源部２０９は、受信回路２０２、演算部２０３、入力部２０４、表示部２０５、データ記憶部２０６、及び近距離通信制御部２０７に、電力を供給する。
【００２８】
次に、データ管理装置３０の構成について、図４を用いて説明する。
図４は、本実施形態に係るデータ管理装置のブロック図である。
図４に示すように、データ管理装置３０は、データ送受信部３０１及びデータ管理制御部３０２を備える。データ送受信部３０１は、アンテナ３１１及び近距離通信制御部３１２を備える。
【００２９】
データ管理装置３０は、表示装置２０と情報の送受信を行い、送受信した情報を管理する。
データ送受信部３０１の近距離通信制御部３１２は、アンテナ３１１を介して表示装置２０と、ＮＦＣの小電力無線通信規格の通信により情報の送受信を行う。近距離通信制御部３１２は、送受信した情報をデータ管理制御部３０２に出力する。
データ管理制御部３０２は、近距離通信制御部３１２が出力した情報を受け取り、受け取った情報を記憶部に記憶させる。データ管理制御部３０２は、記憶部に記憶されている情報に基づき、利用者からの指示に応じて週毎、月毎等の心拍数情報を表示部に表示する。なお、データ管理制御部３０２は、パソコン、ディスプレイ、プリンタ等から構成されるようにしてもよい。
【００３０】
次に、生体情報測定装置の処理手順の一例を、図５を用いて説明する。
図５は、本実施形態に係る生体情報測定装置の処理の一例のシーケンス図である。
【００３１】
（ステップＳ１）利用者は、計測装置１０を身体に装着し、計測装置１０の制御部１３が備えている電源スイッチ（図示せず）をオン状態にして計測を開始する。例えば、利用者が運動を行う前に、計測装置１０を装着して、電源をオン状態にして測定を開始する。
【００３２】
（ステップＳ２）計測装置１０は、計測した心拍情報に基づく信号ｃの送信を開始する。以後、計測装置１０は、電極１２間の電位差が検出されたタイミングで、信号ｃの送信を行う。なお、この送信は、利用者により制御部１３の電源スイッチが押されて測定が終了させられるまで行う。
（ステップＳ３）表示装置２０の受信回路２０２は、入力部２０４の計測スイッチが押されたとき、アンテナ２０１を介して、計測装置１０が送信した信号ｃの受信を開始する。
以後、表示装置２０は、計測装置１０が送信した信号の受信を行う。この受信は、入力部２０４の計測スイッチが押されるまで継続する。例えば、利用者が運動を行っている間、表示装置２０は、計測装置１０が測定した信号の受信を継続する。また、表示装置２０の演算部２０３は、受信回路２０２が出力した信号ｅに基づいて、例えば、１分間の心拍数を１分毎に算出する。演算部２０３は、算出した時刻を測定した時刻とし、測定時刻と算出した心拍数情報とを関連付けてデータ記憶部２０６に記憶する。
（ステップＳ４）表示装置２０は、入力部２０４の計測スイッチが押されたとき、計測装置１０が送信した信号の受信を終了する。
【００３３】
（ステップＳ５）利用者は、計測装置１０の制御部１３が備えている電源スイッチをオフ状態にする。
（ステップＳ６）計測装置１０は、電源スイッチが押されたことを検出し、検出した結果に応じて計測を終了する。例えば、利用者は、運動を終了した後、制御部１３が備えている電源スイッチをオフ状態にして、測定を終了する。
【００３４】
（ステップＳ７）利用者は、測定した情報をデータ管理装置３０に送信するためにデータ管理装置３０のデータ送受信部３０１の上に表示装置２０を置く。
（ステップＳ８）データ管理装置３０は、データ送受信部３０１の上に表示装置２０が置かれたことを検出する。検出した結果に基づき、データ管理装置３０は、表示装置２０との通信を確立する。
【００３５】
（ステップＳ９）表示装置２０の近距離通信制御部２０７は、演算部２０３がデータ記憶部２０６から読み出した時間毎の心拍数情報（第２情報）を、アンテナ２０８を介してデータ管理装置３０に送信を開始する。
（ステップＳ１０）データ管理装置３０の近距離通信制御部３１２は、アンテナ３１１を介して表示装置２０が送信した第２情報を受信する。
【００３６】
（ステップＳ１１）利用者は、第２情報の送信が完了した後、データ管理装置３０のデータ送受信部３０１の上から表示装置２０を外す。表示装置２０から第２情報の送信の完了は、例えば、第２情報の受信が完了したことを示す情報をデータ管理装置３０から表示装置２０に送信する。そして、表示装置２０は、このデータ管理装置３０から受信した第２情報の受信が完了したことを示す情報に基づき、第２情報の送信が完了したことを表示装置２０の表示部に表示する。利用者は、この表示を確認することで、第２情報の送信が完了したことを確認するようにしてもよい。
【００３７】
（ステップＳ１２）データ管理装置３０は、データ送受信部３０１の上から表示装置２０が外されたことを検出し、検出した結果に基づいて、表示装置との通信を解除する。
以上で、生体情報測定装置の処理を終了する。
【００３８】
次に、計測装置１０から表示装置２０への信号の送信について、図２、図６及び図７を用いて説明する。
図６は、本実施形態に係る計測装置１０の各部の波形を示す図である。図７は、図６の時刻ｔ１から時刻ｔ３０の期間を拡大した図である。図７は、本実施形態に係る表示装置２０の各部の波形を示す図である。
図６及び図７において、横軸は時間であり、縦軸は各波形のレベルである。また、図５において、波形ｇ１０１は、心拍信号検出回路１０１が出力した信号ａの波形である。波形ｇ１０２は、送信回路制御部１０２が出力した信号ｂの波形であり、波形ｇ１０３は、アンテナ駆動回路１０３が出力した信号ｃの波形である。
図６において、横軸は時間であり、縦軸は各波形のレベルである。また、波形ｇ１０２は、送信回路制御部１０２が出力した信号ｂの波形であり、波形ｇ１０３は、アンテナ駆動回路１０３が出力した信号ｃの波形である。
【００３９】
心拍信号検出回路１０１は、図６に示すように、２つの電極１２−１と１２−２との電位差が予め定められているしきい値より大きいことを検出した時刻ｔ１からｔ３０の期間（Ｔ１）、ハイレベルの信号ａを生成する。また、心拍信号検出回路１０１は、２つの電極１２−１と１２−２との電位差が予め定められているしきい値より小さいことを検出した期間（時刻ｔ３０からｔ４０）、ローレベルの信号ａを生成する。心拍信号検出回路１０１は、生成した信号ａ（波形ｇ１０１）を送信回路制御部１０２に出力する。
【００４０】
次に、送信回路制御部１０２は、心拍信号検出回路１０１が出力した信号ａ（波形ｇ１０１）の立ち上がりのタイミングで、期間Ｔ１の間、周期Ｔ２（時刻ｔ１０−ｔ１）の信号ｂを生成する。送信回路制御部１０２は、生成した信号ｂをアンテナ駆動回路１０３に出力する。図５に示すように、波形ｇ１０２は、時刻ｔ１からｔ３の期間（Ｔ３）がハイレベルであり、時刻ｔ３からｔ１０の期間（Ｔ４）がローレベルである。
【００４１】
次に、図６及び図７に示すように、アンテナ駆動回路１０３は、送信回路制御部１０２が出力した信号ｂ（波形ｇ１０２）の立ち上がりのタイミング（時刻ｔ１）で、波形ｇ１０３の周期Ｔ３、信号振幅Ｌ１の波形ｇ１０３を生成する。
次に、アンテナ駆動回路１０３は、送信回路制御部１０２が出力した信号ｂ（波形ｇ１０２）の立ち下がりのタイミング（時刻ｔ３）で、波形の生成を停止する。従って、波形ｇ１０３において、時刻ｔ３からｔ５の期間の波形、及び時刻ｔ５からｔ１０の波形は、時刻ｔ１からｔ３の期間の波形が伝送路内で減衰しながら保たれている。このように、アンテナ駆動回路１０３が時刻ｔ１からｔ３の期間のみ波形を生成するようにしたため、表示装置２０の消費電力がさらに削減できる。
アンテナ駆動回路１０３は、このように生成した信号ｃ（波形ｇ１０３）を、アンテナ１０４を介して送信する。
【００４２】
図７に示すように、周期Ｔ１の期間に、波形ｇ１０３は、周期Ｔ３の第１から第３の３つの信号を含んでいる。第１の信号は、時刻ｔ１からｔ３の期間、信号振幅がＬ１の信号である。第２の信号は、時刻ｔ３からｔ５の期間、信号振幅がＬ２の信号である。第３の信号は、時刻ｔ５からｔ１０の期間、信号振幅がＬ３の信号である。
なお、信号振幅Ｌ１は、信号振幅Ｌ２及びＬ３より大きい。信号振幅Ｌ２は、信号振幅Ｌ３より大きく、信号振幅Ｌ１より小さい。信号振幅Ｌ３は、信号振幅Ｌ１及びＬ２より小さい。なお、この周期Ｔ３は、計測装置１０から表示装置２０への搬送波周波数であり、例えば５［ｋＨｚ］である。
【００４３】
次に、表示装置２０の送受信処理の一例について、図８を用いて説明する。
図８は、本実施形態に係る表示装置２０の各部の波形を示す図である。図８において、横軸は時間であり、縦軸は各波形のレベルである。また、波形ｇ２０１は、受信回路２０２へ入力される信号ｄの波形であり、波形ｇ２０２は、受信回路２０２が出力した信号ｅの波形である。
【００４４】
受信回路２０２は、入力部２０４の計測スイッチが押されたとき、アンテナ２０１を介して、計測装置１０が送信した信号の受信を開始する。受信回路２０２は、受信した信号ｄ（波形ｇ２０１）の絶対値が、予め定められているしきい値より大きい期間（時刻ｔ１０１からｔ１０２）、ハイレベルの信号ｅを生成する。また、受信回路２０２は、受信した信号ｄ（波形ｇ２０１）の絶対値が、予め定められているしきい値より小さい期間（時刻ｔ１０２からｔ１０３）、ローレベルの信号ｅを生成する。受信回路２０２は、生成した信号ｅを演算部２０３に出力する。
【００４５】
図８に示すように、受信回路２０２が生成した信号ｄ（波形ｇ２０２）は、図６に示した信号ａ（波形ｇ１０１）と同等である。
また、図８に示すように、波形ｇ２０２は、時刻ｔ１０１からｔ１０２の期間、ハイレベルであり、時刻ｔ１０２から時刻ｔ１０３の期間、ローレベルである。
【００４６】
演算部２０３は、受信回路２０２が出力した信号ｅの立ち上がり（時刻ｔ１０１）と、立ち上がり（時刻ｔ１０３）の期間を内部のカウンタを用いてカウントする。演算部２０３は、カウントした値に基づき、例えば１分間の心拍数を算出する。演算部２０３は、算出した心拍数情報を表示部２０５に表示し、さらにデータ記憶部２０６に記憶する。
利用者は、心拍数が表示部２０５に表示された後、入力部２０４の計測スイッチを押す。演算部２０３は、計測スイッチが押されたことを検出し、検出した結果に応じて計測装置１０が送信した信号の受信を終了する。
【００４７】
以上のように、計測装置１０は、測定した生体情報を示す第１情報を受信する周波数を、受信した第１情報に基づく第２情報を送信する周波数より低い周波を用いるようにしたので、情報の送信に要する消費電力を削減できる。また、表示装置２０は、計測装置１０から第１情報を第１周波数で受信し、データ管理装置３０に第２情報を第２周波数に切り替えて送信するようにしたので、情報の送受信に要する消費電力を削減できる。
また、計測装置１０と表示装置２０との通信に５［ＫＨｚ］の周波数を用いたので、この周波数に関しての認可が不要である。
【００４８】
さらに、表示装置２０とデータ管理装置３０との通信は、小電力無線通信規格による通信を行うようにしたので、情報の送受信時に表示装置２０とデータ管理装置３０を近接できるため、外来ノイズの影響を受けにくい効果がある。また、従来のように、２．４［ＧＨｚ］帯の無線規格で通信を行う場合に必要だったペアリングや暗号化等が不要になるため、表示装置２０の構成を簡素化ができる。また、表示装置２０とデータ管理装置３０との通信は、小電力無線通信規格による通信を行うようにしたので、表示装置２０は、データ管理装置３０のデータ送受信部３０１の上に置かれるまでデータ管理装置３０との情報の送送受信を行っていない。この結果、情報の送受信を行っていない時の消費電力を削減できる。
【００４９】
なお、本実施形態では、計測装置１０が表示装置２０に送信する周波数の例として５［ＫＨｚ］の例を説明したが、法定無線通信周波数である１０［ｋＨｚ］より低い周波数を用いるようにしてもよい。なお、法定無線通信周波数とは、認可が必要な周波数帯である。
【００５０】
なお、本実施形態では、演算部２０３が、心拍数情報と、心拍数情報を算出した日時とを関連付けてデータ記憶部２０６に記憶する例を説明したが、心拍数情報を検出した日時を関連付けて記憶させるようにしてもよい。
【００５１】
なお、本実施形態では、図７に示したように、計測装置１０から表示装置２０に送信する信号ｃ（波形ｇ１０３）は、時刻ｔ１からｔ３までの振幅Ｌ１の波形のみ生成し、他の振幅Ｌ２とＬ３については、伝送路内で減衰されない信号を用いる例を説明したが、これに限られない。図７において、アンテナ駆動回路１０３が生成する周波数及び振幅Ｌ１に応じて、時刻ｔ１からｔ１０の期間（Ｔ２）内の波形は２周期分であっても３周期以上であってもよい。また、このアンテナ駆動回路１０３が生成する周波数及び振幅Ｌ１に応じて、送信回路制御部１０２が生成する信号ｂの期間Ｔ２を調整するようにしてもよい。例えば、信号ｃ（波形ｇ１０３）の振幅Ｌ１の減衰率が低いように表示装置２０を設計した場合、期間Ｔ１内において、送信回路制御部１０２は、時刻ｔ１からｔ３の期間のみハイレベルの信号を生成するようにしてもよい。そして、アンテナ駆動回路１０３は、このように送信回路制御部１０２が生成したハイレベルの信号のタイミングで振幅Ｌ１の信号のみを生成し、時刻ｔ３からｔ３０の期間、この振幅Ｌ１の減衰信号のみを用いるようにしてもよい。
【００５２】
また、本実施形態における表示装置２０の機能を腕時計が備えるようにしてもよい。
【符号の説明】
【００５３】
１・・・生体情報測定装置、１０・・・計測装置、１１・・・ストラップ、１２・・・電極、１３・・・制御部、２０・・・表示装置、２１・・・ベルト、２２・・・表示制御部、３０・・・データ管理装置、１０１・・・心拍信号検出回路、１０２・・・送信回路制御部、１０３・・・アンテナ駆動回路、１０４、２０１、２０８・・・アンテナ、１０５、２０９・・電源部、２０２・・・受信回路、２０３・・・演算部、２０４・・・入力部、２０５・・・表示部、２０６・・・データ記憶部、２０７・・・近距離通信制御部、３０１・・・データ送受信部、３０２・・・データ管理制御部
【図１】
2013106801.tif 000003
【図２】
2013106801.tif 000004
【図３】
2013106801.tif 000005
【図４】
2013106801.tif 000006
【図５】
2013106801.tif 000007
【図６】
2013106801.tif 000008
【図７】
2013106801.tif 000009
【図８】
2013106801.tif 000010